(57)【特許請求の範囲】
【請求項１】
周壁５下端部を大径の摘み部5aに、それより上部を小径の嵌合筒部5bに構成するとともに、周壁５上端縁より延設した円錐板状の頂壁６前部に窓孔７を穿設し、且つ、嵌合筒部5bの上下方向中央部に外気導入孔８を穿設した下端開口の筒状をなす内筒２と、底蓋13で閉塞された内筒２内に収納した棒状の香気含浸体４と、嵌合筒部5b外周に螺動上昇可能に嵌合させた周壁17上端縁より円錐板状の頂壁18を延設するとともに、頂壁18後部に穿設した窓孔19を内筒頂壁６後面で気密に閉塞し、且つ、頂壁18前部により内筒頂壁６の窓孔７を気密に閉塞した外筒３とを備え、外気導入孔８下方の内筒２外面に圧接してその上下を気密に閉塞するとともに、外筒３の上昇時に内筒２外面との圧接を解除する第１シール突条22を外筒周壁17内面に突周設し、外筒上昇時に外気導入孔８上方の内筒外面に圧接してその上下を気密に閉塞する第２シール突条23を突周設してなることを特徴とする香気用容器。
【発明の詳細な説明】
【０００１】
【発明の属する技術分野】
本発明は香気用容器に関する。
【０００２】
【従来の技術】
従来香気用容器として、香気含浸体を収納するとともに、先端部に香気発散用の窓孔を備えた筒状の容器体と、該容器体に着脱自在に嵌着させて窓孔を気密に閉塞する下端開口の筒状をなすキャップとからなるものが知られている。
【０００３】
【発明が解決しようとする課題】
従来のこの種の容器は、使用に当たりキャップを外し、外したキャップを持ったまま使用するため使い難く、外したキャップを机等の上に置いて使用する場合にはキャップの落下，紛失等の虞があり、いずれにしろ取り扱い上の不便を伴う。
【０００４】
本発明は上記した点に鑑みなされたもので、使用時には簡単な操作で使用可能状態となり、また、使用後は簡単な操作で元の密閉状態に戻り、キャップの紛失等の虞がなく取り扱いの便利な香気用容器を提案するものである。
。
【０００５】
また、その構造も簡単であり、安価に製造でき、また、不使用時には出来るだけ無駄な香気の発散を防ぎ、使用時には香気を円滑に供給できる優れた容器を提案するものである。
【０００６】
【課題を解決するための手段】
本請求項１発明の容器は、上記課題を解決するため、周壁５下端部を大径の摘み部5aに、それより上部を小径の嵌合筒部5bに構成するとともに、周壁５上端縁より延設した円錐板状の頂壁６前部に窓孔７を穿設し、且つ、嵌合筒部5bの上下方向中央部に外気導入孔８を穿設した下端開口の筒状をなす内筒２と、底蓋13で閉塞された内筒２内に収納した棒状の香気含浸体４と、嵌合筒部5b外周に螺動上昇可能に嵌合させた周壁17上端縁より円錐板状の頂壁18を延設するとともに、頂壁18後部に穿設した窓孔19を内筒頂壁６後面で気密に閉塞し、且つ、頂壁18前部により内筒頂壁６の窓孔７を気密に閉塞した外筒３とを備え、外気導入孔８下方の内筒２外面に圧接してその上下を気密に閉塞するとともに、外筒３の上昇時に内筒２外面との圧接を解除する第１シール突条22を外筒周壁17内面に突周設し、外筒上昇時に外気導入孔８上方の内筒外面に圧接してその上下を気密に閉塞する第２シール突条23を突周設してなることを特徴とする香気用容器として構成した。
【０００７】
【発明の実施の形態】
以下、本発明の実施例の形態を図面を参照して説明する。
【０００８】
本発明の容器１は、内筒２と、外筒３と、香気含浸体４とを備えている。
【０００９】
内筒２は、周壁５の下端部を大径の摘み部5aに、それより上部を小径の嵌合筒部5bに構成するとともに、周壁５上端縁より下端を開口した中空円錐状の頂壁６を延設した下端開口の筒状をなし、頂壁６前部に窓孔７を穿設するとともに、嵌合筒部5bの上下方向中央部に外気導入孔８を穿設している。窓孔７は、収納した香気含浸体４より発する香気を外部に放出するためのもので、その形状は種々選択でき、図示例では円形の窓孔７を穿設している。また、外気導入孔８は、内筒２内に外気を導入するためのもので、その数は一箇所に限らず、複数箇所設けても良い。
【００１０】
図示例では、嵌合筒部5bの上下方向中央部に設けたテーパ部９を介してその上方を僅かに縮径し、また、テーパ部９と間隔を開けた嵌合筒部5bの縮径部分外周に、下面がテーパ状の突条10を突周設し、この突条10とテーパ部９との間に複数の外気導入孔８を穿設している。また、テーパ部９下方の嵌合筒部5b外周下端部に螺条11を周設し、突条10上方の嵌合筒部5bの縮径部分外周上部には外筒３の抜け出しを防止するための係止突条12を突周設している。
【００１１】
香気含浸体４は、スポンジや合成樹脂発泡体等の液体を含浸保有させておくことが出来る材質であり、従来のこの種の容器に使用されているものであれば、その材質はどの様なものでも採用でき、また、その形状は底蓋13で閉塞された内筒２内に収納した棒状をなしている。図示例では、摘み部5aの内周下端部に嵌合させた嵌合筒14を底板15上面より突設して内筒２下端開口を気密に閉塞する底蓋13を設けている。また、香気含浸体４は、内筒２の内面の頂壁６内面左右から嵌合筒部5b左右内面上部にそれぞれ至る一対の係止リブ16を突設し、各係止リブ16の下面に上面を係止させて収納されている。
【００１２】
外筒３は、嵌合筒部5b外周に螺動上昇可能に嵌合させた周壁17上端縁より下端を開口した中空円錐状の頂壁18を延設するとともに、頂壁18後部に穿設した窓孔19を内筒頂壁６後面で気密に閉塞し、且つ、頂壁18前部により内筒頂壁６の窓孔７を気密に閉塞している。
【００１３】
窓孔19も香気を外部に放出させるためのもので、窓孔７同様その形状は種々選択でき、図示例では円形をなしている。また、外筒３を螺動上昇させることにより内筒の窓孔７の外筒頂壁18による閉塞が解除されるとともに、外筒の窓孔19の内筒頂壁６による閉塞が解除され、香気を発散する如く構成している。
【００１４】
また、周壁17内周下端部には内筒２の螺条11と螺合する螺条20を周設しており、更に、周壁17内周上部には、螺動上昇した際に内筒２の係止突条12下面に係合する係合突条21を突周設している。これらの係止突条12及び係合突条21の突設位置は、外筒が１８０°回動して窓孔７上方に窓孔19が位置する状態になった時に互いに当接する様に定めるのが良いが、これに限らない。
【００１５】
また、周壁17内周の螺条20上方に、テーパ部９直下の内筒２外周に圧接してその上下を気密に閉塞する第１シール突条22を突周設しており、外筒３の最下降時には外気の内筒２内への侵入を防止するとともに、外筒の上昇時に内筒２外面との圧接を解除する如く構成している。また、このシール突条22上方にも第２シール突条23を突周設しており、外筒３を螺動上昇させた際に内筒２の突条10に乗り上げてその上下を気密に閉塞して外気が外気導入孔８より内筒２内に円滑に導入される如く構成している。
【００１６】
尚、上記各部材は特にことわりの無い限り合成樹脂により形成すると良い。
【００１７】
【発明の効果】
以上説明した如く、本発明容器は、内筒２に対して外筒３を螺動上昇させるという簡単な操作で香気を嗅ぐことができ、従来品の如くキャップを外して持っていなければならなかったり、外したキャップを紛失する等の不都合がなく、取り扱いが便利である。
【００１８】
また、外筒頂壁18後部に穿設した窓孔19を内筒頂壁６後面で気密に閉塞するとともに、頂壁18前部により内筒頂壁６の窓孔７を気密に閉塞し、また、外気導入孔８下方の内筒２外面に圧接してその上下を気密に閉塞するとともに、外筒３の上昇時に内筒２外面との圧接を解除する第１シール突条22を外筒周壁17内面に突周設し、更に、外筒上昇時に外気導入孔８上方の内筒外面に圧接してその上下を気密に閉塞する第２シール突条23を突周設したので、不使用時に香気が漏れてすぐに香気がなくなる等の不都合を生じる虞はなく、また、使用時には下方の外気導入孔上方の各筒周壁間が閉塞されて外気導入孔への円滑な外気の導入が行われ、また、上方の各窓孔より円滑に香気が発散される。
【００１９】
また、各筒２，３は円錐板状の頂壁を備えているため、香気を発散させる窓孔を斜め前方へ開口することができるとともに、外筒の螺動昇降を円滑にしかも下降時には各窓孔の良好なシールを行えるものである。
【００２０】
また、その構造も簡単で、組み付けも容易に行え、安価に製造できる利点を兼ね備えている。
【図面の簡単な説明】
【図１】本発明の一実施例を示す縦断面図である。
【図２】同実施例の外筒の螺動上昇時の縦断面図である。
【図３】同実施例の斜視図である。
【符号の説明】
２…内筒，３…外筒，４…香気含浸体，５…内筒周壁，5a…摘み部，
5b…嵌合筒部，６…内筒頂壁，７…内筒窓孔，８…外気導入孔，13…底蓋，
17…外筒周壁，18…外筒頂壁，19…外筒窓孔，22…第１シール突条，
23…第２シール突条
【図１】
0003859886.tif 000002
【図２】
0003859886.tif 000003
【図３】
0003859886.tif 000004